(57)【要約】【課題】原稿の角部等が折り返されて、原稿読取で得られた原稿画像が欠けているときに、真に制限が必要な場合にのみ原稿画像の保存又は画像形成を禁止する。【解決手段】画像形成装置１は、複数の原稿を順次読み取る画像読取部１１と、原稿画像ｉｍを記録紙に形成する画像形成部１２と、原稿画像ｉｍの各端辺を検出すると共に有効領域Ｓを検出する有効領域検出部５５と、有効領域Ｓの角部における傾斜辺の有無を検出し、当該傾斜辺を検出したときは、当該傾斜辺が有効領域Ｓ内に存在するか否かを判定する判定部５６と、判定部５６により傾斜辺が有効領域Ｓ内に存在しないと判定された場合に、画像形成部１２による原稿画像ｉｍの画像形成を行わせ、判定部５６により傾斜辺が有効領域Ｓ内に存在すると判定された場合には、画像形成部１２による原稿画像ｉｍの画像形成を禁止する制御部５１とを備える。【選択図】図３
2018046522.tif 000002
【特許請求の範囲】
【請求項１】
複数の原稿の画像を順次読み取る画像読取部と、
前記画像読取部により読み取られた前記複数の原稿の各原稿画像を記録紙に形成する画像形成部と、
前記画像読取部による原稿読取で得られた各原稿画像に基づいて、当該原稿画像の各端辺を検出すると共に、当該原稿画像において画像形成が行われる領域である有効領域を検出する有効領域検出部と、
前記有効領域検出部によって検出された前記有効領域の角部における傾斜辺の有無を検出し、当該傾斜辺を検出したときは、当該傾斜辺が前記有効領域内に存在するか否かを判定する判定部と、
前記判定部により傾斜辺が前記有効領域内に存在しないと判定された場合に、前記原稿画像の保存、又は前記画像形成部による前記原稿画像の画像形成を行わせ、前記判定部により傾斜辺が前記有効領域内に存在すると判定された場合には、前記原稿画像の保存、又は前記画像形成部による前記原稿画像の画像形成を禁止する制御部と、を備える画像形成装置。
【請求項２】
前記有効領域は、前記原稿画像の四辺から予め定められた距離だけ内側に設定された矩形領域である請求項１に記載の画像形成装置。
【請求項３】
表示部を備え、
前記制御部は、前記判定部により傾斜辺が前記有効領域内に存在すると判定された場合に、前記原稿画像の保存又は前記画像形成部による前記原稿画像の画像形成を禁止した原稿画像の頁番号を前記表示部に表示させる請求項１又は請求項２に記載の画像形成装置。
【発明の詳細な説明】
【技術分野】
【０００１】
本発明は、画像形成装置に関し、特に、原稿の画像が正常に読み取られなかった場合における制御に関する。
【背景技術】
【０００２】
周知のように画像形成装置としては、複数の原稿をトレイから順次引き出して、これらの原稿の画像を順次読み取る画像読取部と、これらの原稿の画像をそれぞれの記録紙に逐次記録して出力する画像形成部とを備えるものがある（特許文献１、特許文献２を参照）。
【先行技術文献】
【特許文献】
【０００３】
【特許文献１】米国特許公報第４００９９５５号（Ａ）
【特許文献２】欧州特許公開公報第２６４２７３９号（Ａ１）
【発明の概要】
【発明が解決しようとする課題】
【０００４】
ところで、上記のように複数の原稿をトレイから順次引き出して読み取る際に、原稿の角部等が折り返されていると、読み取られた原稿の画像も角部が欠けることがあり、この場合には、角部が欠けた状態の原稿の画像が記録紙に記録される。このため、各原稿をそれぞれの記録紙に記録した後で、各記録紙をチェックし、記録紙に記録されている原稿の画像が欠けているときには、この原稿を抽出して、原稿の画像の読み取り及び記録を再度行う必要があり、煩雑な作業を余儀なくされたり、記録紙が無駄となったりした。更に、折れが生じている原稿を読み取った場合であっても、読取で得た原稿画像が画像形成やデータ保存に悪影響を生じない場合もある。
【０００５】
本発明は、上記の事情に鑑みなされたものであり、原稿の角部等が折り返されて、原稿読取で得られた原稿画像が欠けているときに、真に制限が必要な場合にのみ原稿画像の保存又は画像形成を禁止することを目的とする。
【課題を解決するための手段】
【０００６】
本発明の一局面に係る画像形成装置は、複数の原稿の画像を順次読み取る画像読取部と、前記画像読取部により読み取られた前記複数の原稿の各原稿画像を記録紙に形成する画像形成部と、前記画像読取部による原稿読取で得られた各原稿画像に基づいて、当該原稿画像の各端辺を検出すると共に、当該原稿画像において画像形成が行われる領域である有効領域を検出する有効領域検出部と、前記有効領域検出部によって検出された前記有効領域の角部における傾斜辺の有無を検出し、当該傾斜辺を検出したときは、当該傾斜辺が前記有効領域内に存在するか否かを判定する判定部と、前記判定部により傾斜辺が前記有効領域内に存在しないと判定された場合に、前記原稿画像の保存、又は前記画像形成部による前記原稿画像の画像形成を行わせ、前記判定部により傾斜辺が前記有効領域内に存在すると判定された場合には、前記原稿画像の保存、又は前記画像形成部による前記原稿画像の画像形成を禁止する制御部と、を備えるものである。
【発明の効果】
【０００７】
本発明によれば、原稿の角部等が折り返されて、原稿読取で得られた原稿画像が欠けているときに、真に制限が必要な場合にのみ、原稿画像の保存又は画像形成を禁止することができる。
【図面の簡単な説明】
【０００８】
【図１】本発明の一実施形態かかる画像形成装置を示す断面図である。
【図２】本実施形態の画像形成装置における画像読取部を示す断面図である。
【図３】本実施形態の画像形成装置の構成を示す機能ブロック図である。
【図４】画像読取部により読み取られる原稿などを示す平面図である。
【図５】（ａ）、（ｂ）、（ｃ）は、原稿の角部が該原稿の読み取られない裏面側に折り返された状態を示す平面図である。
【図６】（ａ）、（ｂ）、（ｃ）は、原稿の角部が該原稿の読み取られる表面側に折り返された状態を示す平面図である。
【図７】本実施形態の画像形成装置による処理手順を示すフローチャートである。
【図８】本実施形態の画像形成装置における操作部及び表示部を示す平面図である。
【図９】画像読取部により読み取られた５枚の原稿、及び該各原稿の画像が記録されたそれぞれの記録紙を示す図である。
【図１０】画像読取部により読み取られた５枚の原稿、及び３枚の原稿の画像が記録されたそれぞれの記録紙を示す図である。
【発明を実施するための形態】
【０００９】
以下、本発明の実施形態について図面を参照して説明する。
【００１０】
図１は、本発明の実施形態にかかる画像形成装置を示す断面図である。本実施形態の画像形成装置１は、例えば、コピー機能、プリンター機能、スキャナー機能、及びファクシミリ機能のような複数の機能を兼ね備えたＭＦＰ（複合機）である。この画像形成装置１は、画像読取部１１と、画像形成部１２とを備えている。
【００１１】
画像読取部１１は、原稿を光学的に読み取るスキャナーを有し、この原稿の画像を示す画像データを生成する。
【００１２】
画像形成部１２は、画像読取部１１で生成された画像データによって示される画像を記録紙に印刷するものであり、マゼンタ用の画像形成ユニット１３Ｍ、シアン用の画像形成ユニット１３Ｃ、イエロー用の画像形成ユニット１３Ｙ、及びブラック用の画像形成ユニット１３Ｂｋを備えている。各画像形成ユニット１３Ｍ、１３Ｃ、１３Ｙ、及び１３Ｂｋのいずれにおいても、感光体ドラム１４の表面を均一帯電させ、感光体ドラム１４の表面を露光して、感光体ドラム１４の表面に静電潜像を形成し、感光体ドラム１４の表面の静電潜像をトナー像に現像して、感光体ドラム１４の表面のトナー像を、中間転写ベルト１５に転写する。これにより、カラーのトナー像（画像）が中間転写ベルト１５上に形成される。このカラーのトナー像は、中間転写ベルト１５から記録紙に転写されて、記録紙上に熱定着される。
【００１３】
図２は、本実施形態の画像読取部１１の機械構成を示す断面図である。図２に示すように、画像読取部１１は、原稿給送部２０及びスキャナー部３０から構成されている。原稿給送部２０では、ピックアップローラー２２、搬送ローラー２３、及び排紙ローラー２４により、原稿給紙トレイ２１にセットされた複数の原稿Ｍを１枚ずつ引出してプラテンガラス３１上に通して搬送し、更に原稿Ｍを原稿排出トレイ２５へと排出する。スキャナー部３０では、キャリッジ３２の光源３２Ａの光を、プラテンガラス３１を介して原稿Ｍに照射し、原稿Ｍで反射された光をキャリッジ３２のミラー３２Ｃで反射する。更に、この光は、光学系ユニット３３のミラー３３Ａ及びミラー３３Ｂで反射されて、集光レンズ３４を通じてＣＣＤセンサー３５に入射する。このとき、集光レンズ３４がＣＣＤセンサー３５の受光面に原稿Ｍの画像を結像し、ＣＣＤセンサー３５が原稿Ｍの画像を読取る。
【００１４】
図３は、画像形成装置１の主要内部構成を示す機能ブロック図である。図３に示すように画像形成装置１は、制御ユニット４１と、表示部４２と、画像メモリー４３と、操作部４４と、タッチパネル４５と、画像読取部１１と、画像形成部１２と、記憶部４６とを備えている。
【００１５】
表示部４２は、液晶ディスプレイ（ＬＣＤ：Liquid Crystal Display）や有機ＥＬ（ＯＬＥＤ：Organic Light-Emitting Diode）ディスプレイなどから構成される。
【００１６】
表示部４２の画面には、タッチパネル４５が配置されている。タッチパネル４５は、所謂抵抗膜方式や静電容量方式などのタッチパネルであって、タッチパネル４５に対するユーザーの指などの接触（タッチ）をその接触位置とともに検知して、その接触位置の座標を示す検知信号を制御ユニット４１の後述する操作受付部５２などに出力する。従って、タッチパネル４５は、表示部４２の画面に対するユーザー操作が入力される操作部としての役割を果たす。
【００１７】
画像メモリー４３は、画像読取部１１により読取られた原稿の画像データを一時的に記憶する。
【００１８】
操作部４４は、決定キー、スタートキーなどのハードキーを備えている。
【００１９】
記憶部４６は、ＨＤＤ（Hard Disk Drive）などの大容量の記憶装置である。
【００２０】
制御ユニット４１は、プロセッサー、ＲＡＭ(Random Access Memory）、及びＲＯＭ（Read Only Memory）などから構成される。上記プロセッサーは、ＣＰＵ（Central Processing Unit）、ＭＰＵ、ＡＳＩＣ等である。この制御ユニット４１は、上記のＲＯＭまたは記憶部４６に記憶されたプログラムが上記のプロセッサーで実行されることにより、制御部５１、操作受付部５２、表示制御部５３、画像処理部５４、有効領域検出部５５、及び判定部５６として機能する。なお、制御ユニット４１の上記の各構成は、プログラムに基づく動作によらず、それぞれハード回路により構成されてもよい。
【００２１】
制御部５１は、画像形成装置１の全体的な動作制御を司る。
【００２２】
操作受付部５２は、タッチパネル４５から出力される検知信号に基づき、タッチパネル４５に対するユーザー操作を受け付ける機能を有する。また、操作受付部５２は、操作部４４のハードキーに対するユーザー操作を受け付ける機能も有する。
【００２３】
表示制御部５３は、表示部４２を制御して、画像形成処理に必要な設定項目の入力画面、情報の入力画面、あるいは画像形成装置１の操作ガイダンスなどを表示させる。
【００２４】
画像処理部５４は、画像メモリー４３内の画像データに対して各種の画像処理を施す。
【００２５】
有効領域検出部５５は、画像読取部１１による原稿読取で得られた各原稿画像に基づいて、当該原稿画像の各端辺（後述）を検出すると共に、当該原稿画像において画像形成が行われる領域である有効領域（後述）を検出する。
【００２６】
判定部５６は、有効領域検出部５５によって検出された上記有効領域の角部における傾斜辺（後述）の有無を検出し、当該傾斜辺を検出したときには、当該傾斜辺が有効領域内に存在するか否かを判定する。
【００２７】
制御部５１は、更に、判定部５６により傾斜辺が有効領域内に存在しないと判定された場合に、原稿画像のＨＤＤ等の記憶装置への保存、又は画像形成部１２による原稿画像の画像形成を行わせる。また、制御部５１は、判定部５６により傾斜辺が有効領域内に存在すると判定された場合には、原稿画像の保存、又は画像形成部１２による原稿画像の画像形成を禁止する。
【００２８】
ここで、画像読取部１１では、複数枚の原稿Ｍが原稿給紙トレイ２１にセットされると、原稿給紙トレイ２１上の原稿Ｍが１枚ずつ引出されて、原稿Ｍの画像が順次読み取られ、その度に、当該読取で得られた原稿Ｍの原稿画像ｉｍが画像メモリー４３に記憶される。そして、画像形成部１２では、画像メモリー４３内の原稿画像ｉｍを記録紙に逐次画像形成する。これにより、複数の原稿Ｍが順次読み取られて、各原稿画像ｉｍがそれぞれの記録紙に逐次画像形成される。
【００２９】
このとき、読取対象とされる原稿Ｍの角部等が折り返されていても、画像読取部１１により原稿Ｍの画像が読み取り可能な場合があるため、読取で得られた各原稿Ｍの原稿画像ｉｍの角部が欠けていることがある。そこで、本実施形態では、画像読取部１１により原稿Ｍが読み取られる度に、当該読取で得られた原稿画像ｉｍの画像が欠けているか否か等を判定し、原稿画像ｉｍが欠けておりかつ後述する有効領域Ｓに欠落が生じていると判定した場合に、画像形成部１２による原稿画像ｉｍの画像形成を禁止し、原稿画像ｉｍの画像形成を禁止した旨、及び／又は画像形成が禁止された原稿Ｍの頁番号を表示部４２に表示する。このため、ユーザーは、例えば記録紙に画像形成されている画像に欠落が生じているか否かをチェックする手間や記録紙の無駄を省くことができる。
【００３０】
次に、上記原稿Ｍの読み取り、及び読取で得られた原稿画像ｉｍが欠けているか否かの判定について説明する。
【００３１】
図４は、原稿Ｍを示す平面図である。図４に示すように原稿Ｍは、矩形のシートであって、その表面にテキスト、図形、写真などの画像が記録されている。なお、原稿Ｍの読取で得られる原稿画像ｉｍも原稿Ｍと同様の形状で現れるため、図４には原稿Ｍ及び原稿画像ｉｍの両方を示しているものとする（図５，図６も同様）。
【００３２】
画像読取部１１は、原稿Ｍを読み取って、この読取で得られた原稿画像ｉｍを画像メモリー４３に記憶する。そして、有効領域検出部５５は、原稿画像ｉｍについて、既知のエッジ検出処理等を用いて原稿画像ｉｍの端辺、すなわち原稿画像ｉｍの輪郭をなす四辺を検出する。更に、有効領域検出部５５は、検出した当該四辺に基づいて、原稿画像ｉｍ内に、当該四辺をなす各辺から規定の距離（例えば、５ｍｍ）だけ内側となる位置に、各辺と平行な直線で囲まれる矩形領域である有効領域Ｓを検出し、当該有効領域Ｓを示す原稿画像ｉｍにおける座標を記憶しておく。
【００３３】
制御部５１は、画像形成部１２に、原稿Ｍの有効領域Ｓの画像を記録紙に形成させる。
【００３４】
例えば、有効領域検出部５５は、各端辺のうちの副走査方向Ｙに沿う２つの端辺ｍａと該副走査方向Ｙと直交する主走査方向Ｘに沿う２つの端辺ｍｂとを、原稿画像ｉｍの輪郭をなす四辺として検出するものとする。そして、有効領域検出部５５は、原稿画像ｉｍの２つの端辺ｍａ及び２つの端辺ｍｂ（四辺）により形成される矩形領域から内側に上記規定の距離だけ離れた矩形領域を、原稿画像ｉｍの有効領域Ｓとする。
【００３５】
ここで、例えば図５（ａ）〜（ｃ）に示すように、読取対象となる原稿Ｍの角部が、該原稿Ｍの読み取られない裏面側に折り返されていることがある。この場合は、原稿Ｍの読取で得られた原稿画像ｉｍには、その２つの端辺ｍａ及び２つの端辺ｍｂ（四辺）の他に、端辺ｍａ及び端辺ｍｂのいずれに対しても傾斜している傾斜辺ｍｃが形成される。例えば、判定部５６は、原稿画像ｉｍに基づき、端辺ｍａと端辺ｍｂとが交わって形成される角部を検出（端辺ｍａを示す画像と端辺ｍｂを示す画像とが９０度又はそれに近い角度で交差しているかを検出）する。そして、判定部５６は、当該角部（交差点）が４つ存在しない場合は、端辺ｍａ及び端辺ｍｂのいずれでもない直線を示す画像であって、端辺ｍａ及び端辺ｍｂを示す画像の両方に交わっている画像を傾斜辺ｍｃとして検出する。なお、この傾斜辺ｍｃについても、上記キャリッジ３２の光源３２Ａの照明により該傾斜辺ｍｃに沿って影が生じるため、判定部５６は、例えば上記エッジ検出処理等により、原稿画像ｉｍに基づき、原稿画像ｉｍの外縁部の内側と外側の濃度差が閾値以上となる直線状の境界を該傾斜辺ｍｃとして検出する。
【００３６】
続いて、判定部５６は、上記検出した傾斜辺ｍｃが原稿画像ｉｍの有効領域Ｓに重なっているか否かを判定する。すなわち、判定部５６は、原稿画像ｉｍにおける有効領域Ｓを示す座標領域内に傾斜辺ｍｃを示す画像が存在しているか否かを判定する。例えば、図５（ａ）〜（ｃ）に示すように、原稿画像ｉｍの角部に、原稿Ｍの裏面側に向かっての折れが生じている場合、判定部５６は、原稿画像ｉｍから傾斜辺ｍｃを検出するが、図５（ａ）及び図５（ｂ）のような場合には、傾斜辺ｍｃが原稿Ｍの有効領域Ｓに重なっていないと判定することになり、図５（ｃ）のような場合には、傾斜辺ｍｃが原稿Ｍの有効領域Ｓに重なっていると判定することになる。
【００３７】
次に、図６（ａ）、（ｂ）、（ｃ）は、原稿Ｍの角部が該原稿Ｍの読み取られる表面側に折り返された状態を示している。この場合も、原稿Ｍの読取で得られた原稿画像ｉｍには、２つの端辺ｍａ及び２つの端辺ｍｂ（四辺）の他に、副走査方向Ｙ及び主走査方向Ｘのいずれに対しても傾斜している傾斜辺ｍｃが形成される。更に、原稿Ｍの角部が傾斜辺ｍｃで表面側に折り返されてなる三角片部分ｍｄが形成され、この三角片部分ｍｄの２つの傾斜辺ｍｅ、ｍｆが表面側に表れる。これらの傾斜辺ｍｃ、ｍｅ、ｍｆについても、上記キャリッジ３２の光源３２Ａの照明により該各傾斜辺ｍｃ、ｍｅ、ｍｆに沿って影が生じるため、判定部５６は、原稿画像ｉｍに基づき、各傾斜辺ｍｃ、ｍｅ、ｍｆを検出可能である。判定部５６は、原稿画像ｉｍにおける有効領域Ｓを示す座標領域内に各傾斜辺ｍｃ、ｍｅ、ｍｆを示す画像が存在するか否かを判定する。判定部５６は、原稿画像ｉｍにおける有効領域Ｓを示す座標領域内に各傾斜辺ｍｃ、ｍｅ、ｍｆを示す画像が少なくとも１つでも存在した判定した場合には、有効領域Ｓの画像が欠けていると判定する。
【００３８】
例えば、図６（ａ）（ｂ）に示すように三角片部分ｍｄが原稿Ｍの有効領域Ｓに重ならない場合は、判定部５６は、原稿画像ｉｍにおける有効領域Ｓの座標領域内に各傾斜辺ｍｃ、ｍｅ、ｍｆを示す画像のいずれも存在していないと判定することになるため、有効領域Ｓの画像が欠けていないと判定する。
【００３９】
また、図６（ｃ）に示すように三角片部分ｍｄが原稿画像ｉｍの有効領域Ｓに重なり、三角片部分ｍｄの２つの傾斜辺ｍｅ、ｍｆのいずれか、ここでは傾斜辺ｍｆを示す画像が、有効領域Ｓの座標領域内に存在する場合には（例えば、傾斜辺ｍｆを示す画像が有効領域Ｓの外縁と交差して、この交差する点ｑが２つ存在する場合）、判定部５６は、有効領域Ｓの画像が欠けていると判定する。
【００４０】
このように判定部５６は、原稿画像ｉｍの有効領域Ｓの画像が欠けているか否かを判定する。そして、制御部５１は、原稿画像ｉｍの有効領域Ｓの画像が判定部５６により欠けていると判定された場合に、画像形成部１２による該画像の記録を禁止し、また該画像の記録を禁止した旨を表示部４２に表示させる。
【００４１】
次に、原稿画像ｉｍにおける有効領域Ｓの画像が欠けているか否かを判定し、この画像が欠けていると判定した場合に原稿画像ｉｍの画像形成を禁止して、この旨を表示するまでの処理手順を、図７のフローチャートに従って説明する。
【００４２】
まず、ユーザーは、複数の原稿Ｍを原稿給紙トレイ２１にセットする。このとき、制御部５１は、表示部４２に、図８に示すようにそれぞれの機能に対応付けられた複数のタッチキー６１ａ〜６１ｈ等を示す表示画面を表示させる。ユーザーが、上記の原稿画像ｉｍにおける有効領域Ｓの画像が欠けている場合に原稿画像ｉｍの画像形成を禁止するオートスキップの実行指示を受け付けるためのタッチキー６１ｈをタッチ操作し、タッチパネル４５により当該タッチ操作が受け付けられると、オートスキップの実行指示が操作受付部５２に受け付けられる。
【００４３】
ここで、ユーザーが、上記タッチキー６１ｈをタッチ操作することなく、すなわち、オートスキップの機能が非選択のまま（Ｓ１０１でＮＯ）、操作部４４のスタートキーを操作して原稿読取指示を入力すると、このスタートキーの操作が操作受付部５２で受け付けられ、制御部５１は、原稿給紙トレイ２１上の複数の原稿Ｍを画像読取部１１に読み取らせ、画像形成部１２に、当該読取で得られた原稿画像の画像形成を画像形成部１２に行わせる（Ｓ１０２）。
【００４４】
すなわち、画像読取部１１では、原稿給紙トレイ２１上の原稿Ｍが１枚ずつ引出されて、原稿Ｍの読み取りが順次行われ、その度に、スキャン領域Ｒの全体画像を示す画像データが画像メモリー４３に記憶されて、原稿Ｍの原稿画像ｉｍが画像メモリー４３に記憶される。制御部５１は、当該原稿画像ｉｍを画像メモリー４３から読み出して、画像形成部１２に、原稿画像ｉｍのうち有効領域Ｓの画像を記録紙に画像形成させる。
【００４５】
また、ユーザーが、オートスキップの実行指示を入力し（Ｓ１０１でＹＥＳ）、このタッチ操作が操作受付部５２に受け付けられると、制御部５１は、Ｓ１０４以降に示すオートスキップの実行を開始する。この場合、制御部５１は、まず、画像読取部１１に、原稿給紙トレイ２１上の原稿Ｍを１枚ずつ引出させて、原稿Ｍの読み取りを順次行わせる（Ｓ１０４）。このように原稿が１枚読み取られる毎に、原稿画像ｉｍが画像メモリー４３に記憶される。制御部５１は、当該読取で得られた各原稿画像ｉｍと共に原稿の頁番号を記憶する。
【００４６】
そして、有効領域検出部５５は、各原稿Ｍのそれぞれの原稿画像ｉｍに基づき、上述した各端辺を検出し、有効領域Ｓを検出する（Ｓ１０５）。
【００４７】
続いて、判定部５６は、原稿画像ｉｍに上記傾斜辺が有るか否かを判定する（Ｓ１０６）。このとき、判定部５６により原稿画像ｉｍに上記傾斜辺が検出されていないと判定された場合は（Ｓ１０６でＮＯ）、原稿画像ｉｍにおける有効領域Ｓは欠落なく全域が読み取られていることになるため、制御部５１は、画像メモリー４３から、原稿画像ｉｍの有効領域Ｓ部分の画像を読み出し、当該有効領域Ｓ部分の画像に基づく画像形成を画像形成部１２に記録紙に対して行わせる（Ｓ１０７）。
【００４８】
また、制御部５１は、判定部５６により原稿画像ｉｍに上記傾斜辺が検出されたと判定したときは（Ｓ１０６でＹＥＳ）、上記の各傾斜辺ｍｃ、ｍｅ、ｍｆのいずれかが検出されていることになるため、判定部５６は、有効領域Ｓの画像が欠けているか否か、すなわち、原稿画像ｉｍにおける有効領域Ｓ内に当該傾斜辺を示す画像が存在しているか否かを判定する（Ｓ１０８）。
【００４９】
そして、制御部５１は、判定部５６により有効領域Ｓ内に当該傾斜辺を示す画像が存在していないと判定された場合には（Ｓ１０８でＮＯ）、原稿画像ｉｍにおける有効領域Ｓは欠落なく全域が読み取られていることになるため、制御部５１は、画像メモリー４３から、原稿画像ｉｍの有効領域Ｓ部分の画像を読み出し、当該有効領域Ｓ部分の画像に基づく画像形成を画像形成部１２に記録紙に対して行わせる（Ｓ１０７）。
【００５０】
また、制御部５１は、判定部５６により有効領域Ｓ内に当該傾斜辺を示す画像が存在していると判定された場合には（Ｓ１０８でＹＥＳ）、原稿Ｍにおける有効領域Ｓ部分の画像が正常に読み取られていないため、上記画像形成処理（Ｓ１０７）を行わせず、当該有効領域Ｓの画像が欠けていると判定された原稿画像ｉｍの頁番号を記憶しておく（Ｓ１０９）。
【００５１】
つまり、原稿画像ｉｍに傾斜辺が検出されず、原稿画像ｉｍにおける有効領域Ｓが欠落していない場合と（Ｓ１０６でＮＯ）、例えば図５（ａ）（ｂ）や図６（ａ）（ｂ）に示すように各傾斜辺ｍｃ、ｍｅ、ｍｆのいずれかが検出されているが原稿画像ｉｍにおける有効領域Ｓが欠けていないときには（Ｓ１０６でＹＥＳ，Ｓ１０８でＮＯ）、原稿画像ｉｍにおける有効領域Ｓの画像が記録紙に記録される。
【００５２】
また、図５（ｃ）及び図６（ｃ）に示すように各傾斜辺ｍｃ、ｍｅ、ｍｆのいずれかが検出されて、原稿画像ｉｍにおける有効領域Ｓが欠けているときには、原稿画像ｉｍにおける有効領域Ｓの画像は画像形成されない。
【００５３】
この後、図略の原稿検知センサーにより原稿給紙トレイ２１上に原稿Ｍが残っていることが検出されているときは（Ｓ１１０でＹＥＳ）、制御部５１は、次の原稿ＭについてＳ１０４以降の処理を繰り返す。
【００５４】
一方、原稿検知センサーにより原稿給紙トレイ２１上に原稿Ｍが検出されていない場合は（Ｓ１１０でＮＯ）、表示制御部５３は、原稿給紙トレイ２１上の全ての原稿Ｍの複写が正常に完了したか否かを表示部４２に表示する。例えば、原稿給紙トレイ２１上の全ての原稿Ｍの画像形成が正常に完了しなかった場合は、制御部５１は、全ての原稿Ｍの複写が正常に完了しなかった旨、及び／又は、Ｓ１０９で記憶された原稿画像ｉｍの頁番号、すなわち、原稿Ｍの頁番号を表示部４２に表示させる（Ｓ１１１）。
【００５５】
これにより、ユーザーは、表示部４２の表示内容を見て、原稿給紙トレイ２１上の全ての原稿Ｍの複写が正常に完了したか否かを知ることができる。また、ユーザーは、全ての原稿Ｍの複写が正常に完了しなかった場合には、記録紙への記録が行われなかった原稿Ｍの頁番号を知ることができる。例えば、ユーザーは、折れが生じている原稿Ｍのみを抽出して、原稿Ｍの折れを無くすように原稿Ｍを整えてから、該原稿Ｍを原稿給紙トレイ２１に再度セットすることができる。これにより、原稿画像ｉｍにおける有効領域Ｓの画像形成が正常に行われない原稿Ｍのみ、すなわち、折れの修正が真に必要な原稿Ｍのみを抽出して、画像読取部１１による当該原稿Ｍの読み取りを再度行わせることが可能になるため、当該再読取により全ての原稿Ｍの画像形成を正常に完了させることができる。
【００５６】
上記実施形態では、例えば、図９に示すように原稿給紙トレイ２１にセットされた５枚の原稿Ｍａ〜Ｍｅのいずれも折り返しが生じていない場合は、各原稿Ｍａ〜Ｍｅの有効領域Ｓの画像が画像形成された５枚の記録紙Ｐａ〜Ｐｅが画像形成装置１から排出される。
【００５７】
また、図１０に示すように原稿給紙トレイ２１に５枚の原稿Ｍａ〜Ｍｅがセットされ、１枚目原稿Ｍａに折り返しが生じていない場合は、原稿Ｍａの有効領域Ｓの画像が記録された１枚の記録紙Ｐａが、画像形成装置１から排出される。更に、２枚目の原稿Ｍｂ及び５枚目の原稿Ｍｅについては、折り返しが生じていても、原稿Ｍの有効領域Ｓが欠けていないため、各原稿Ｍｂ、Ｍｅの原稿画像ｉｍにおける有効領域Ｓの画像が記録された２枚の記録紙Ｐｂ、Ｐｅが、画像形成装置１から排出される。
【００５８】
また、３枚目の原稿Ｍｃ及び４枚目の原稿Ｍｄについては、折り返しが生じて、それらの原稿画像ｉｍの有効領域Ｓが欠けているため、各原稿Ｍｃ、Ｍｄの原稿画像ｉｍにおける有効領域Ｓの画像は画像形成されない。この場合、ユーザーは、表示部４２に表示される、画像形成が正常に完了しなかった原稿Ｍの頁番号を確認して、各原稿Ｍｃ、Ｍｄの折り返しを整えてから、各原稿Ｍｃ、Ｍｄを原稿給紙トレイ２１に再度セットして、画像読取部１１による各原稿Ｍｃ、Ｍｄの読み取りを行わせることにより、各原稿Ｍｃ、Ｍｄの複写を正常に完了させることが可能になる。このため、ユーザーは、記録紙に記録されている原稿の画像が欠けているか否かをチェックする手間や記録紙の無駄を省くことができる。
【００５９】
また、上記実施形態によれば、画像形成装置１にユーザーから画像形成実行指示が入力され、読取対象とされた原稿Ｍに折れが生じて有効領域Ｓに欠落が生じている場合に、当該原稿Ｍの原稿画像ｉｍの画像形成を制御部５１が行わせないようにしているが、画像形成装置１にユーザーから原稿読取指示が入力されたときに、読取対象とされた原稿Ｍに折れが生じて有効領域Ｓに欠落が生じている場合は、当該原稿Ｍの原稿画像ｉｍを制御部５１がＨＤＤ等の記憶装置に保存しないようにしてもよい。
【００６０】
上記実施形態によれば、読取対象とされた原稿Ｍに折れが生じている場合は全て画像形成又は画像保存を行わない制御をするのではなく、原稿画像ｉｍにおける有効領域Ｓに欠落が生じている場合にのみ、画像形成又は画像保存を行わない制御を行うため、画像形成又は画像保存に影響を与えない原稿画像ｉｍについては、画像形成又は画像保存が行われる。このため、折れ発生時における無駄な原稿再読取を減らすことができ、生産性が高められる。
【００６１】
なお、上記実施形態では、図５（ｂ）に示すように傾斜辺ｍｃが原稿画像ｉｍにおける有効領域Ｓの角部に接する場合、及び図６（ｂ）に示すように三角片部分ｍｄの２つの傾斜辺ｍｅ、ｍｆの一方が有効領域Ｓの角部に接する場合には、判定部５６は、有効領域Ｓの画像が欠けていないと判定しているが、この場合にも、判定部５６は、有効領域Ｓの画像が欠けていると判定してもよい。
【００６２】
また、上記オートスキップ機能を選択したときには、画像処理部５４は、画像読取部１１により読み取られた原稿画像ｉｍの濃度、コントラスト、解像度などを、原稿Ｍの各端辺の検出のために最適化しても構わない。
【００６３】
更に、原稿Ｍの各端辺を検出するために画像読取部１１によるプレスキャンを行い、引き続いて原稿Ｍの画像を読み取るために画像読取部１１による本スキャンを行ってもよく、プレスキャンと本スキャンの間で、画像読取部１１により読み取られたスキャン領域Ｒの全体画像の濃度、コントラスト、解像度などを異ならせても構わない。
【００６４】
また、図１乃至図１０を用いて説明した構成及び処理は、本発明の一実施形態に過ぎず、本発明を当該構成及び処理に限定する趣旨ではない。
【符号の説明】
【００６５】
１          画像形成装置
１１        画像読取部
１２        画像形成部
４１        制御ユニット
４２        表示部
４３        画像メモリー
４４        操作部
４５        タッチパネル
４６        記憶部
５１        制御部
５２        操作受付部
５３        表示制御部
５４        画像処理部
５５        有効領域検出部
５６        判定部
【図１】
2018046522.tif 000003
【図２】
2018046522.tif 000004
【図３】
2018046522.tif 000005
【図４】
2018046522.tif 000006
【図５】
2018046522.tif 000007
【図６】
2018046522.tif 000008
【図７】
2018046522.tif 000009
【図８】
2018046522.tif 000010
【図９】
2018046522.tif 000011
【図１０】
2018046522.tif 000012